(57)【要約】【課題】複雑な構造の光学素子を必要とせずに、各装置間で光信号によるデータ伝送を効率的に行う。【解決手段】伝送制御装置１に光ボックス２を接続する。光ボックス２には、伝送制御装置１から送信されたデータを光信号に変換して送信する光送信器４と、光送信器４に接続され、上記変換後の光信号を複数の通信相手へ伝送するための漏洩光ファイバ５ａを備える。また、この光ボックス２内には、各通信相手のそれぞれに接続された漏洩光ファイバ５ｂ，５ｃ，５ｄと、漏洩光ファイバ５ｂ，５ｃ，５ｄから個別に放射される漏洩光を受信用の光信号として受光し、これらの光信号を電気信号に変換して伝送制御装置１に渡す光受信器９を備える。これにより、漏洩光ファイバ５ａ〜５ｄを用いて、各装置間で光信号によるデータ伝送を効率的に行う。【選択図】      図１
2008066784.tif 000002
【特許請求の範囲】
【請求項１】
光信号によるデータの伝送制御を行う伝送制御装置と、この伝送制御装置に接続された光ボックスとからなり、
上記光ボックスは、
上記伝送制御装置から送信されたデータを光信号に変換して送信する光送信器と、
この光送信器に接続され、上記変換後の光信号を複数の通信相手へ伝送するための第１の漏洩光ファイバと、
上記各通信相手のそれぞれに接続された複数本の第２の漏洩光ファイバと、
これらの第２の漏洩光ファイバから個別に放射される漏洩光を受信用の光信号として受光し、これらの光信号を電気信号に変換して上記伝送制御装置に渡す光受信器と
を備えたことを特徴とするデータ伝送装置。
【請求項２】
上記光受信器は、フォトダイオードからなることを特徴とする請求項１記載のデータ伝送装置。
【請求項３】
上記光受信器は、ホトマルからなることを特徴とする請求項１記載のデータ伝送装置。
【請求項４】
上記光ボックスは、
上記各第２の漏洩光ファイバの特定の部分から放射される漏洩光を上記光受信器に受光させるように配設された遮蔽体をさらに備えたことを特徴とする請求項１記載のデータ伝送装置。
【請求項５】
上記光ボックスは、
上記各第２の漏洩光ファイバを１つに纏めて固定するための固定台と、
この固定台によって固定された上記各第２の漏洩光ファイバから放射される漏洩光を集光して上記光受信器に与える集光レンズと
をさらに備えたことを特徴とする請求項１記載のデータ伝送装置。
【請求項６】
上記固定台は、上記各第２の漏洩光ファイバを所定の間隔で並べて支持するための複数の支持部を有し、上記光受信器に対する上記各第２の漏洩光ファイバの漏洩光の光強度がほぼ一定になるように、上記各支持部の段差が調整されていることを特徴とする請求項５記載のデータ伝送装置。
【請求項７】
上記光ボックスは、
上記各第２の漏洩光ファイバを１つに纏めて固定すると共に、これらから放射される漏洩光が上記光受信器の受光面に向けて均等に入射されるように上記光受信器に向けて湾曲形成された固定台をさらに備えたことを特徴とする請求項１記載のデータ伝送装置。
【請求項８】
複数台のエレベータを群管理制御する群管理制御装置と、上記各エレベータに対応して設けられ、当該エレベータの運転を制御する複数の号機制御装置とからなるエレベータの群管理システムにおいて、
上記群管理制御装置と上記各号機制御装置との間を複数本の漏洩光ケーブルを介してループ状に接続し、
上記群管理制御装置から上記各号機制御装置へのデータの送信、あるいは、上記各号機制御装置から上記群管理制御装置へのデータの送信をそれぞれに接続された上記各漏洩光ケーブルを介して光信号にて行い、
上記各漏洩光ケーブルから放射される漏洩光を受信側で受信用のデータとして受光することを特徴とするエレベータの群管理システム。
【請求項９】
上記群管理制御装置と上記各号機制御装置のそれぞれの接続ポイントには光ボックスが設けられており、
上記光ボックスは、
当該装置から送信されたデータを光信号に変換する光送信器と、
この光送信器に接続され、上記変換後の光信号を複数の通信相手へ伝送するための第１の漏洩光ファイバと、
上記各通信相手のそれぞれに接続された複数本の第２の漏洩光ファイバと、
これらの第２の漏洩光ファイバから個別に放射される漏洩光を受信用の光信号として受光し、これらの光信号を電気信号に変換して当該装置に渡す光受信器と
を備えたことを特徴とするエレベータの群管理システム。
【請求項１０】
昇降路内を昇降動作する乗りかごと、この乗りかごの運転を制御する制御盤とを備えたエレベータ装置において、
上記昇降路内に上記乗りかごの昇降方向に沿って設けられ、上記制御盤から上記乗りかごへ送信する情報を光伝送する第１の漏洩光ファイバと、
上記乗りかごの側面に上記乗りかごの昇降方向に沿って設けられ、上記乗りかごのコントローラから上記制御盤へ送信する情報を光伝送する第２の漏洩光ファイバと、
上記昇降路内に上記第２の漏洩光ファイバに対向させて所定の間隔で設けられ、上記乗りかごの移動中に上記第２の漏洩光ファイバから放射される漏洩光を受信用のデータとして受光して上記制御盤に渡す第１の光受信器と、
上記乗りかごの側面に上記第１の漏洩光ファイバに対向させて設けられ、上記乗りかごの移動中に上記第１の漏洩光ファイバから放射される漏洩光を受信用のデータとして受光して上記乗りかごのコントローラに渡す第２の光受信器と
を具備したことを特徴とするエレベータ装置。
【発明の詳細な説明】
【技術分野】
【０００１】
本発明は、漏洩光ファイバを用いたデータ伝送装置、エレベータの群管理システム及びエレベータ装置に関する。
【背景技術】
【０００２】
データ伝送システムを構築する場合に、電磁ノイズの影響を受けにくい光伝送装置が使用される。その伝送形態としては、ループ型やスター型がある。
【０００３】
ループ型の場合、伝送装置内に電気／光変換器を備え、装置間で電気信号を光信号に変換して中継していく方式が一般的である。しかし、伝送装置が故障すると、次の伝送装置に光信号を中継できなくなるといった短所がある。
【０００４】
また、スター型では、伝送装置から送られてきた光信号を電気信号に変換した後、再度光信号に変換して他の伝送装置に配信するアクティブスターカプラ方式と、伝送装置から送られてきた光信号をＮ対Ｎに分岐させた光学素子を使い、光信号のまま他の伝送装置に配信するパッシブスターカプラ方式がある（例えば、特許文献１参照）。電磁ノイズが発生しやすい産業システムでは、光信号のままで伝送可能なパッシブスターカプラ方式が一般的に使われている。
【特許文献１】特開平８−１９１２７３号公報
【発明の開示】
【発明が解決しようとする課題】
【０００５】
しかしながら、上記パッシブスターカプラ方式では、複雑な構造の光学素子が必要であり、また、その光学素子の調整作業に高度な技術を必要とする。さらに、分岐した光学素子で光信号を分配するために、受信側で検出可能な数までしか分岐数を増やせず、接続できる装置数が制限されるといった問題もある。
【０００６】
本発明は上記のような点に鑑みなされたもので、複雑な構造の光学素子を必要とせずに、各装置間で光信号によるデータ伝送を効率的に行うことのできるデータ伝送装置と、このデータ伝送装置を用いたエレベータの群管理システム及びエレベータ装置を提供することを目的とする。
【課題を解決するための手段】
【０００７】
（１）本発明のエレベータの群管理システムは、光信号によるデータの伝送制御を行う伝送制御装置と、この伝送制御装置に接続された光ボックスとからなる。上記光ボックスは、上記伝送制御装置から送信されたデータを光信号に変換して送信する光送信器と、この光送信器に接続され、上記変換後の光信号を複数の通信相手へ伝送するための第１の漏洩光ファイバと、上記各通信相手のそれぞれに接続された複数本の第２の漏洩光ファイバと、これらの第２の漏洩光ファイバから個別に放射される漏洩光を受信用の光信号として受光し、これらの光信号を電気信号に変換して上記伝送制御装置に渡す光受信器とを備えたことを特徴とする。
【０００８】
（２）また、本発明のエレベータの群管理システムは、複数台のエレベータを群管理制御する群管理制御装置と、上記各エレベータに対応して設けられ、当該エレベータの運転を制御する複数の号機制御装置とからなるエレベータの群管理システムにおいて、上記群管理制御装置と上記各号機制御装置との間を複数本の漏洩光ケーブルを介してループ状に接続し、上記群管理制御装置から上記各号機制御装置へのデータの送信、あるいは、上記各号機制御装置から上記群管理制御装置へのデータの送信をそれぞれに接続された上記各漏洩光ケーブルを介して光信号にて行い、上記各漏洩光ケーブルから放射される漏洩光を受信側で受信用のデータとして受光することを特徴とする。
【０００９】
（３）また、本発明のエレベータ装置は、昇降路内を昇降動作する乗りかごと、この乗りかごの運転を制御する制御盤とを備えたエレベータ装置において、上記昇降路内に上記乗りかごの昇降方向に沿って設けられ、上記制御盤から上記乗りかごへ送信する情報を光伝送する第１の漏洩光ファイバと、上記乗りかごの側面に上記乗りかごの昇降方向に沿って設けられ、上記乗りかごのコントローラから上記制御盤へ送信する情報を光伝送する第２の漏洩光ファイバと、上記昇降路内に上記第２の漏洩光ファイバに対向させて所定の間隔で設けられ、上記乗りかごの移動中に上記第２の漏洩光ファイバから放射される漏洩光を受信用のデータとして受光して上記制御盤に渡す第１の光受信器と、上記乗りかごの側面に上記第１の漏洩光ファイバに対向させて設けられ、上記乗りかごの移動中に上記第１の漏洩光ファイバから放射される漏洩光を受信用のデータとして受光して上記乗りかごのコントローラに渡す第２の光受信器とを具備したことを特徴とする。
【発明の効果】
【００１０】
本発明によれば、漏洩光ファイバを用いて各装置間を接続することで、複雑な構造の光学素子を必要とせずに、各装置間で光信号によるデータ伝送を効率的に行うことができる。
【発明を実施するための最良の形態】
【００１１】
以下、図面を参照して本発明の実施形態を説明する。
【００１２】
（第１の実施例）
図１は本発明の第１の実施形態に係る漏洩光ファイバを用いたデータ伝送装置の構成を示す図である。
【００１３】
このデータ伝送装置は、伝送制御装置１と、この伝送制御装置１に接続された光ボックス２とからなる。伝送制御装置１は、光信号によるデータの伝送制御を行う。光ボックス２には、一対の光送信器４と光受信器９が設けられていると共に、複数本（ここでは４本）の漏洩光ファイバ５ａ〜５ｄが収納されている。このうちの１本（漏洩光ファイバ５ａ）は本装置に接続され、その他（漏洩光ファイバ５ｂ，５ｃ，５ｄ）は通信相手側の伝送制御装置のそれぞれに接続されている。
【００１４】
光送信器４は、伝送制御装置１から送信信号線３を介して送られた電気信号を光信号に変換し、漏洩光ファイバ５ａに送出する機能を有する。光受信器９は、漏洩光ファイバ５ｂ，５ｃ，５ｄから放射される漏洩光８ｂ，８ｃ，８ｄを受光し、これらを受信用のデータとして電気信号に変換して伝送制御装置１に渡す機能を有する。
【００１５】
漏洩光ファイバ５ａは、光送信器４から通信相手側の伝送制御装置を経由してループ状に配設されており、その終端は当該伝送制御装置１の光ボックス２内に納められている。漏洩光ファイバ５ｂ，５ｃ，５ｄは、通信相手となる他の各伝送制御装置から個別に延出されたものであり、光ボックス２内の光受信器９に対向させるようにして配設されている。
【００１６】
なお、「漏洩光ファイバ」とは、光の屈折率を利用して側面から光を漏洩させるように形成された特殊な光ファイバである。
【００１７】
伝送制御装置１から送信用のデータとして出力された電気信号は、光送信器４にて光信号に変換された後、漏洩光ファイバ５ａに送出される。この光信号は漏洩光ファイバ５ａの中を所定の屈折率を以て進行するが、一部が漏洩光ファイバ５ａの側面から漏洩する。図中の６ａはその漏洩光を示している。この漏洩光６ａは、通信相手側の伝送制御装置にて本装置のデータとして受信される。
【００１８】
一方、漏洩光ファイバ５ｂ，５ｃ，５ｄについても、漏洩光ファイバ５ａと同様に、それぞれの側面から光信号の一部が漏洩する。図中の６ｂ，６ｃ，６ｄはその漏洩光を示している。
【００１９】
ここで、漏洩光ファイバ５ｂ，５ｃ，５ｄの各箇所から放射される漏洩光６ｂ，６ｃ，６ｄには時間的なずれがあるため、これらを光受信器９にて多数受光してしまうと、後にフィルタリングなどの複雑な処理が必要となる。そこで、漏洩光ファイバ５ｂ，５ｃ，５ｄの光受信器９に対向する部分に、一対の遮蔽体７ａ，７ｂが設けられている。この遮蔽体７ａ，７ｂにより、漏洩光ファイバ５ｂ，５ｃ，５ｄの各箇所から放射される漏洩光６ｂ，６ｃ，６ｄのうち、光受信器９に対向する部分の漏洩光８ｂ，８ｃ，８ｄ（時間ずれのない漏洩光）が受信用のデータとしてピンポイントで受光可能となる。
【００２０】
また、この遮蔽体７ａ，７ｂは、自ケーブルである漏洩光ファイバ５ａから放射される漏洩光６ａを光受信器９から遮断する役割も兼ねている。
【００２１】
なお、漏洩光ファイバ５ａ〜５ｄを介して伝送される各データ（光信号）には、それぞれに送信元の識別情報が付加されており、受信側では、その識別情報に基づいて送信元を識別することができる。すなわち、図１の例では、光受信器９にて漏洩光８ｂ，８ｃ，８ｄを受光した場合に、それぞれに付加された識別情報に基づいて、例えば漏洩光８ｂは装置Ｂのデータ、漏洩光８ｃは装置Ｃのデータ、漏洩光８ｂは装置Ｄのデータといったように識別できる。
【００２２】
また、光受信器９は、例えばフォトダイオードあるいはホトマルで構成される。「ホトマル」は、光電子増倍管のことであり、光電面、集束電極、電子倍増部、陽極を真空管の中に納めた高感度の光センサのことである。
【００２３】
このような構成において、伝送制御装置１は、通信相手となる図示せぬ他の伝送制御装置に対して、制御情報などを含む各種データに自装置の識別情報を付して光ボックス２へ送る。光ボックス２に送られたデータは、光送信器４にて光信号に変換されて漏洩光ファイバ５ａの一端面に入射される。この入射された光信号は、漏洩光ファイバ５ａを蛇行しながら他端面に向けて進む。その間に、漏洩光ファイバ５ａの側面から漏洩光６ａが放射される。
【００２４】
通信相手側には、図１の光ボックス２と同様の光ボックスが設けられており、上記漏洩光ファイバ５ａから放射された漏洩光６ａを伝送制御装置１のデータとして受光することができる。
【００２５】
一方、データの受信は、光ボックス２内の漏洩光ファイバ５ｂ，５ｃ，５ｄから放射される漏洩光６ｂ，６ｃ，６ｄを光受信器９にて受光することで行う。この場合、遮蔽体７ａ，７ｂによって、光受信器９に対向した部分の漏洩光８ｂ，８ｃ，８ｄだけがピンポイントで受光できるので、後にフィルタリング等の処理を行う必要はない。光受信器９にて受光された漏洩光６ｂ，６ｃ，６ｄは電気信号に変換されて、受信信号線１０を介して伝送制御装置１に渡される。
【００２６】
このように、本実施形態によれば、複雑な構造の光学素子を必要とせずに、各装置間に配設された漏洩光ファイバを用いて、各種データを光信号のままで高速に通信することが可能となる。この場合、受信側では、１つの光受信器にて各通信相手のデータを受信できるため、従来の光通信のように接続可能な装置数が制限されることもなく、簡単な構造で効率的なデータ伝送を実現できる。
【００２７】
（第２の実施形態）  
次に、本発明の第２の実施形態について説明する。
【００２８】
図２は本発明の第２の実施形態に係るデータ伝送装置における光ボックス内の構成を部分的に示した図であり、漏洩光ファイバの光軸方向から見た状態が示されている。なお、図２において、上記第１の実施形態における図１と同じ部分には同一符号を付して、重複する説明は省略するものとする。
【００２９】
図１の構成と異なる点は、光ボックス２内に固定台１１と集光レンズ１２が設けられていることである。固定台１１は、各通信相手に接続された漏洩光ファイバ５ｂ，５ｃ，５ｄを１つに纏めて固定しておくためのものであり、軸方向に所定の間隔を空けて複数配設される。この固定台１１は、断面が凹形状のケーブル支持部１１ａ〜１１ｃを有する。漏洩光ファイバ５ｂ，５ｃ，５ｄは、そのケーブル支持部１１ａ〜１１ｃに嵌め込まれて、水平方向に並べて支持される。
【００３０】
集光レンズ１２は、光受信器９の前面に設けられ、漏洩光ファイバ５ｂ，５ｃ，５ｄの側面から放射される受信用の漏洩光８ｂ，８ｃ，８ｄを集光して光受信器９に与える。図中の１３ｂ，１３ｃ，１３ｄは、その集光された漏洩光を示している。
【００３１】
このような構成において、各通信相手に接続された漏洩光ファイバ５ｂ，５ｃ，５ｄは、光ボックス２内に設けられた固定台１１によって水平方向に支持される。この場合、漏洩光ファイバ５ｂ，５ｃ，５ｄから放射される漏洩光８ｂ，８ｃ，８ｄの光強度は、本装置と通信相手との間の伝送距離に応じて異なる。そこで、漏洩光８ｂ，８ｃ，８ｄの光強度がほぼ一定になるように、固定台１１に形成されたケーブル支持部１１ａ〜１１ｃの段差を調整しておくものとする。
【００３２】
また、漏洩光ファイバ５ｂ，５ｃ，５ｄの側面から放射された受信用の漏洩光８ｂ，８ｃ，８ｄは、集光レンズ１２にて集光されて光受信器９に与えられる。これにより、所定の受信レベルを確保できる。光受信器９では、集光レンズ１２にて集光された漏洩光１３ｂ，１３ｃ，１３ｄを受光すると、これを電気信号に変換して伝送制御装置１に渡す。
【００３３】
このように、本実施形態によれば、固定台を用いて漏洩光ファイバを支持すると共に、その漏洩光ファイバから放射される漏洩光を集光レンズを介して光受信器に与える構成としたことで、微弱な漏洩光でも安定して受信することができ、また、光受信器の受信感度が狭い範囲でも使用可能となる。
【００３４】
（第３の実施形態）  
次に、本発明の第３の実施形態について説明する。
【００３５】
図３は本発明の第３の実施形態に係るデータ伝送装置における光ボックス内の構成を部分的に示した図であり、漏洩光ファイバの光軸方向から見た状態が示されている。なお、図３において、上記第１の実施形態における図１と同じ部分には同一符号を付して、重複する説明は省略するものとする。
【００３６】
図１の構成と異なる点は、光ボックス２内に、曲面固定台１４が設けられていることである。曲面固定台１４は、上記第２の実施形態の固定台１１と同様に、各通信相手に接続された漏洩光ファイバ５ｂ，５ｃ，５ｄを１つに纏めて固定しておくためのものであり、軸方向に所定の間隔を空けて複数配設される。
【００３７】
ここで、上記第２の実施形態の固定台１１は漏洩光ファイバ５ｂ，５ｃ，５ｄを光受信器９に対して水平方向に支持する構成であったのに対し、本実施形態の曲面固定台１４は、漏洩光ファイバ５ｂ，５ｃ，５ｄを光受信器９に対して均一に配置するように湾曲形成されている点で異なる。
【００３８】
すなわち、この曲面固定台１４に形成されたケーブル支持部１４ａ〜１４ｃは、図３に示すように光受信器９に向けて湾曲している。漏洩光ファイバ５ｂ，５ｃ，５ｄは、これらのケーブル支持部１４ａ〜１４ｃに嵌め込まれて、光受信器９に向けて支持される。
【００３９】
このような構成において、各通信相手に接続された漏洩光ファイバ５ｂ，５ｃ，５ｄは、光ボックス２内に設けられた曲面固定台１４によって光受信器９を囲むように支持される。この場合、上記第２の実施形態のように、漏洩光ファイバ５ｂ，５ｃ，５ｄを水平方向に並べると、両側の漏洩光ファイバ５ｂ，５ｄから放射される漏洩光８ｂ，８ｄが光受信器９の受光面に真っ直ぐに入射しないため、十分な受信レベルが得られない可能性がある。
【００４０】
これに対し、本実施形態では、漏洩光ファイバ５ｂ，５ｃ，５ｄが光受信器９を囲むようにして支持されているので、漏洩光ファイバ５ｂ，５ｃ，５ｄから放射される漏洩光８ｂ，８ｃ，８ｄが光受信器９の受光面に向けて均等に入射されることになり、十分な受信レベルを確保することができる。光受信器９では、この漏洩光８ｂ，８ｃ，８ｄを受光すると、これを電気信号に変換して伝送制御装置１に渡す。
【００４１】
このように、本実施形態によれば、曲面固定台を用いて漏洩光ファイバを支持する構成としたことで、集光レンズ等の光学部材を必要とせずに、十分な受信レベルを確保することができる。
【００４２】
（第４の実施形態）  
次に、第４の実施形態として、本発明の伝送制御装置をエレベータの群管理システムに適用した場合について説明する。
【００４３】
図４は本発明の第４の実施形態に係るエレベータの群管理システムの構成を示す図であり、群管理制御装置と各号機制御装置とを漏洩光ファイバによってループ状に接続した状態が示されている。なお、図４において、上記第１の実施形態における図１と同じ部分には同一符号を付して、重複する説明は省略するものとする。
【００４４】
群管理制御装置２１は、複数台のエレベータの群管理制御するための制御装置である。この群管理制御装置２１には、ＣＰＵからなる群管理制御部２２の他に、伝送制御装置１とインタフェイス部２３が備えられている。群管理制御部２２は、例えば乗場呼びの割当制御など、一般的な群管理に関わる制御を行う。この群管理制御部２２にインタフェイス部２３を介して伝送制御装置１が接続されている。
【００４５】
一方、号機制御装置２４は、各エレベータの号機に対応して設けられており、群管理制御装置２１からの指令に従って当該エレベータの運転を制御する。この号機制御装置２４には、ＣＰＵからなる制御部２５の他に、伝送制御装置１とインタフェイス部２６が備えられている。制御部２５は、例えば乗りかごの昇降動作を制御したり、着床時にドアの開閉を制御するなど、一般的な運転制御を行う。この制御部２５にインタフェイス部２６を介して伝送制御装置１が接続されている。
【００４６】
伝送制御装置１および光ボックス２は、図１と同様である。すなわち、光ボックス２には、ここでは図示を省略するが、一対の光送信器４と光受信器９が設けられている。また、光ボックス２には、複数本からなる漏洩光ファイバ５が収納されており、そのうちの１本はデータ送信用として光送信器４に接続されており、その他は受信用として光受信器９の近くに配設されている。
【００４７】
すなわち、本システムでは、群管理制御装置２１と各エレベータの号機制御装置２４との間を複数本の漏洩光ファイバ５を介してループ状に接続することにより、互いに光信号でデータを送受信できるように構成されている。
【００４８】
なお、漏洩光ファイバ５は、上述したように、その中を通過する光信号の一部を漏洩させるように形成された特殊な光ファイバである。この場合、漏洩光ファイバ５の各部から漏洩光が放出されると、エレベータの各機器類に影響を与える可能性もある。そこで、各装置の接続ポイントつまり光ボックス２内でのみ漏洩光を放出させるように、漏洩光ファイバ５の側面に何らかの材質的な工夫を施しておくことが好ましい。
【００４９】
このような構成において、号機制御装置２４から送信されたデータは、当該号機制御装置２４に対応した光ボックス２にて光信号に変換された後、漏洩光ファイバ５を介して他の号機制御装置２４や群管理制御装置２１に伝送される。このデータには、当該号機制御装置２４の識別情報が付加されているので、受信側では、その識別情報に基づいてデータの送信元を識別することができる。
【００５０】
号機制御装置２４から出力されるデータとしては、例えば乗場呼びやかご呼びなど、そのエレベータの運転状態を示すデータが主である。群管理制御装置２１では、号機制御装置２４からのデータを当該群管理制御装置２１に対応した光ボックス２を介して受信することにより、当該データに関する所定の処理を実行する。
【００５１】
一方、群管理制御装置２１から送信されたデータは、当該群管理制御装置２１に対応した光ボックス２にて光信号に変換された後、漏洩光ファイバ５を介して各エレベータの号機制御装置２４に伝送される。このデータには、当該群管理制御装置２１の識別情報が付加されているので、受信側では、その識別情報に基づいてデータの送信元を識別することができる。
【００５２】
群管理制御装置２１から出力されるデータとしては、例えば乗場呼びの割当情報など、各エレベータの運転を制御するためのデータが主である。号機制御装置２４では、群管理制御装置２１からのデータを当該号機制御装置２４に対応した光ボックス２を介して受信することにより、当該データに関する所定の処理を実行する。
【００５３】
このように、本実施形態によれば、漏洩光ファイバを用いて群管理制御装置と各号機制御装置との間を接続して光信号による双方向の通信を行うようにしたことで、パッシブなループ構成の群管理システムを実現できる。
【００５４】
（第５の実施形態）  
次に、第５の実施形態として、本発明の伝送制御装置をエレベータ装置に適用した場合について説明する。
【００５５】
図５は本発明の第５の実施形態に係るエレベータ装置の構成を示す図であり、エレベータの昇降路内に漏洩光ファイバを配設した状態が示されている。
【００５６】
図中の３０はビルであり、３１はそのビル３０に設置されたエレベータの昇降路である。この昇降路３１には、乗りかご４１が巻上機４２の駆動により上下方向に昇降動作可能に設けられている。巻上機４２には、ロープ４３が巻き掛けられており、そのロープ４３の一端に乗りかご４１が取り付けられ、他端にカウンタウェイト４４が取り付けられている。これにより、巻上機４２の回転に伴い、ロープ４３を介して乗りかご４１とカウンタウェイト４４がつるべ式に昇降動作する。
【００５７】
また、このエレベータを制御する制御盤３２は、号機制御装置３３と信号線３４を介して接続されている。また、この制御盤３２には、信号線３５を介して変換器３６が接続されている。
【００５８】
変換器３６は、電気信号から光信号への変換機能と、光信号から電気信号への変換機能を備える。この変換器３６には、漏洩光ファイバ３７の一端が接続されている。また、この変換器３６には、複数の光受信器３９ａ〜３９ｅが信号線３８を介してカスケード接続されている。
【００５９】
漏洩光ファイバ３７は、昇降路３１の壁などに乗りかご４１の昇降方向に沿って設けられている。光受信器３９ａ〜３９ｅは、昇降路３１の壁などに乗りかご４１の昇降方向に沿って所定の間隔で設けられている。
【００６０】
一方、乗りかご４１に設置されたかごコントローラ４５には、電気信号から光信号への変換機能と、光信号から電気信号への変換機能が備えられている。このかごコントローラ４５には、信号線４７を介して漏洩光ファイバ４６の一端が接続されている。また、このかごコントローラ４５には、２つの光受信器４８ａ，４８ｂが信号線４９を介してカスケード接続されている。
【００６１】
漏洩光ファイバ４６は、乗りかご４１の側面に上記光受信器３９ａ〜３９ｅに対向させて昇降方向に設けられている。光受信器４８ａ，４８ｂは、乗りかご４１の側面の上下に上記漏洩光ファイバ３７に対向させて設けられている。
【００６２】
このような構成において、号機制御装置３３から指令を受けた制御盤３２は、乗りかご４１に送信すべき情報を変換器３６にて光信号に変換して、昇降路内の漏洩光ファイバ３７に送出する。上記情報としては、乗りかご４１の運転に関わる制御情報の他に、映像情報やアナウンス情報なども含まれる。
【００６３】
変換器３６から漏洩光ファイバ３７に送出された光信号は、漏洩光ファイバ３７の中を所定の屈折率を以て進行するが、一部が漏洩光ファイバ３７の側面から漏洩する。図中の５０はその漏洩光を示している。この漏洩光５０は、乗りかご４１の移動中にかご側の光受信器４８ａまたは受信器４８ｂにて受光されてかごコントローラ４５に送られる。かごコントローラ４５では、これを電気信号に変換して処理する。
【００６４】
一方、乗りかご４１から制御盤３２に対して送信する情報は、かごコントローラ４５にて光信号に変換された後、漏洩光ファイバ４６に送出される。上記情報としては、かご呼びや非常呼びなどがある。
【００６５】
かごコントローラ４５から漏洩光ファイバ４６に送出された光信号は、漏洩光ファイバ４６の中を所定の屈折率を以て進行するが、一部が漏洩光ファイバ４６の側面から漏洩する。図中の５１はその漏洩光を示している。この漏洩光５１は、乗りかご４１の移動中に昇降路３１側の光受信器３９ａ〜３９ｅのいずれかにて受光されて変換器３６に送られる。変換器３６では、これを電気信号に変換して制御盤３２に渡す。
【００６６】
このように、本実施形態によれば、漏洩光ファイバを用いて制御盤と乗りかごのコントローラとの間を非接触で接続したことで、テールコードのような伝送ケーブルを必要とせずに、各種情報を自由に送受信することができるようになる。
【００６７】
なお、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００６８】
【図１】図１は本発明の第１の実施形態に係る漏洩光ファイバを用いたデータ伝送装置の構成を示す図である。
【図２】図２は本発明の第２の実施形態に係るデータ伝送装置における光ボックス内の構成を部分的に示した図である。
【図３】図３は本発明の第３の実施形態に係るデータ伝送装置における光ボックス内の構成を部分的に示した図である。
【図４】図４は本発明の第４の実施形態に係るエレベータの群管理システムの構成を示す図である。
【図５】図５は本発明の第５の実施形態に係るエレベータ装置の構成を示す図である。
【符号の説明】
【００６９】
１…伝送制御装置、２…光ボックス、３…送信信号線、４…光送信器、５ａ〜５ｄ…漏洩光ファイバ、６ａ〜６ｄ…漏洩光、７ａ，７ｂ…遮蔽体、８ｂ〜８ｄ…受信用の漏洩光、９…光受信器、１０…受信信号線、１１…固定台、１１ａ〜１１ｃ…ケーブル支持部、１２…集光レンズ、１３ａ〜１３ｄ…集光された漏洩光、１４…曲面固定台、１４ａ〜１４ｃ…ケーブル支持部、２１…群管理制御装置、２２…制御部、２３…インタフェイス部、２４…号機制御装置、２５…制御部、２６…インタフェイス部、３０…ビル、３１…昇降路、３２…制御盤、３３…号機制御装置、３４…信号線、３５…信号線、３６…変換器、３７…漏洩光ファイバ、３８…信号線、３９ａ〜３９ｅ…光受信器、４１…乗りかご、４２…巻上機、４３…ロープ、４４…カウンタウェイト、４５…かごコントローラ、４６…漏洩光ファイバ、４７…信号線、４８ａ，４８ｂ…光受信器、４９…信号線、５０…漏洩光、５１…漏洩光。
【図１】
2008066784.tif 000003
【図２】
2008066784.tif 000004
【図３】
2008066784.tif 000005
【図４】
2008066784.tif 000006
【図５】
2008066784.tif 000007